(57)【要約】【課題】  ケーシングの長手方向において、調湿材の吸放湿性能を広く活用する。【解決手段】  調湿システム、及び、調湿装置へ空気を供給するための方法である。調湿システムは、調湿装置５と、空気供給等装置とを含んでいる。調湿装置５は、第１端部９ａと第２端部９ｂとを規定する長手方向を有するケーシング９と、ケーシング９の内部に配された調湿材とを含む。空気供給等装置は、第１空気Ａ１の水蒸気を調湿材に吸着させるために、第１空気Ａ１を、ケーシング９の内部に、第１端部９ａ側から供給して第２端部９ｂ側から取り出す吸湿モードと、吸湿モードに続いて、第２空気Ａ２に調湿材の水蒸気を放出させるために、第２空気Ａ２を、ケーシング９の内部に、第２端部９ｂ側から供給して第１端部９ａ側から取り出す放湿モードとを実行する。【選択図】図８
2019207062.tif 000002
【特許請求の範囲】
【請求項１】
調湿システムであって、
調湿装置と、前記調湿装置との間で空気の供給及び取り出しを行うための空気供給等装置とを含み、
前記調湿装置は、第１端部と第２端部とを規定する長手方向を有するケーシングと、前記ケーシングの内部かつ前記第１端部と前記第２端部の間に配された調湿材とを含み、
前記調湿材が、相対湿度の高い第１空気から水蒸気を吸着し、かつ、相対湿度の低い第２空気に自らが吸着した水蒸気を放出しうるものであり、
前記空気供給等装置は、
前記第１空気の水蒸気を前記調湿材に吸着させるために、前記第１空気を、前記ケーシングの内部に、前記第１端部側から供給して前記第２端部側から取り出す吸湿モードと、
前記吸湿モードに続いて、前記第２空気に前記調湿材の水蒸気を放出させるために、前記第２空気を、前記ケーシングの内部に、前記第２端部側から供給して前記第１端部側から取り出す放湿モードとを実行する、
調湿システム。
【請求項２】
前記ケーシングは、前記第１端部側に、前記第１空気が供給される第１入口と、前記第２空気が取り出される第１出口とが形成されている、請求項１記載の調湿システム。
【請求項３】
前記ケーシングは、前記第２端部側に、前記第２空気が供給される第２入口と、前記第１空気が取り出される第２出口とが形成されている、請求項１又は２記載の調湿システム。
【請求項４】
前記調湿材は、前記長手方向に空気を通過させる複数の筒状空間を区画するエレメントを含み、
前記エレメントの前記第１端部側及び前記第２端部側の少なくとも一方の端部は、前記長手方向と直交する平面に対して斜めに形成されている、
請求項１ないし３のいずれかに記載の調湿システム。
【請求項５】
調湿装置へ空気を供給するための方法であって、
前記調湿装置は、第１端部と第２端部とを規定する長手方向を有するケーシングと、前記ケーシングの内部かつ前記第１端部と前記第２端部の間に配された調湿材とを含み、
前記調湿材が、相対湿度の高い第１空気から水蒸気を吸着し、かつ、相対湿度の低い第２空気に自らが吸着した水蒸気を放出しうるものであり、
前記方法は、
前記第１空気の水蒸気を前記調湿材に吸着させるために、前記第１空気を、前記ケーシングの内部に、前記第１端部側から供給して前記第２端部側から取り出す第１工程と、
前記第１工程に続いて、前記第２空気に前記調湿材から水蒸気を放出させるために、前記第２空気を、前記ケーシングの内部に、前記第２端部側から供給して前記第１端部側から取り出す第２工程と、
を含む方法。
【発明の詳細な説明】
【技術分野】
【０００１】
本発明は、例えば、居室空間等の湿度調整に利用可能な調湿システム、及び、調湿装置の空気供給方法に関する。
【背景技術】
【０００２】
下記特許文献１は、例えば、住宅の居室空間の湿度調節に利用可能な調湿システムを提案している。この調湿システムは、調湿材が内部に配されたチャンバーと、このチャンバー内に空気を供給するための空気取込口と、チャンバーを通過した空気を取り出すための空気取出口とを含む。空気取込口は、チャンバーの一端側に設けられ、空気取出口は、チャンバーの他端側に設けられている。
【０００３】
前記調湿システムは、調湿材に水蒸気を吸着させる機能を有する（吸湿モード）。吸湿モードでは、相対湿度の高い空気（例えば、冬季の外気のような低温空気）が、空気取込口からチャンバーに供給される。供給された空気は、チャンバーの内部を通過する際に水蒸気を調湿材へ渡し、通常、相対湿度が低下した状態で空気取出口から取り出される。
【０００４】
また、前記調湿システムは、前記調湿材に吸着された水蒸気を空気中に放出させる機能を有する（放湿モード）。この放湿モードでは、相対湿度の低い空気（例えば、空気調和機で暖められた空気）が、空気取込口からチャンバーに供給される。供給された空気は、チャンバーの内部を通過する際に、調湿材から水蒸気を受け取り、通常、相対湿度が高められた状態で空気取出口から取り出される。
【０００５】
以上のように、特許文献１の調湿システムでは、吸湿モード及び放湿モードにおいて、空気は、チャンバーの空気取込口から供給され、かつ、空気取出口から取り出される。すなわち、空気は、チャンバー内を常に同一方向に流れる。
【先行技術文献】
【特許文献】
【０００６】
【特許文献１】特開２０１７−０３２１７０号公報
【発明の概要】
【発明が解決しようとする課題】
【０００７】
ところで、前記調湿システムにおいて、吸湿モードでは、チャンバー内の空気の相対湿度は、流れの下流側ほど低い。一方、放湿モードでは、チャンバー内の空気の相対湿度は、上流側に比べて下流側ほど高くなるが、前記吸湿モードでの下流側の相対湿度を大きく超えるほどではない。このため、前記調湿システムでは、吸湿モードと放湿モードとを切替えた際、チャンバー内の空気の相対湿度差は、上流側（すなわち、空気取込口側）では大きく、下流側（空気取出口側）では小さくなり、大きな偏りが生じる。
【０００８】
ここで、調湿材は、調湿材に触れる空気の相対湿度差が大きいほど、吸放湿量が大きくなる。したがって、前記調湿システムでは、空気の流れ方向の下流側において、調湿材の吸放湿性能を広く活用できないという問題があった。
【０００９】
本発明は、以上のような実状に鑑み案出されたもので、チャンバー内の空気の流れ方向において、調湿材の吸放湿性能を広く活用することができる調湿システム及び調湿装置の空気供給方法を提供することを主たる目的としている。
【課題を解決するための手段】
【００１０】
本発明は、調湿システムであって、調湿装置と、前記調湿装置との間で空気の供給及び取り出しを行うための空気供給等装置とを含み、前記調湿装置は、第１端部と第２端部とを規定する長手方向を有するケーシングと、前記ケーシングの内部かつ前記第１端部と前記第２端部の間に配された調湿材とを含み、前記調湿材が、相対湿度の高い第１空気から水蒸気を吸着し、かつ、相対湿度の低い第２空気に自らが吸着した水蒸気を放出しうるものであり、前記空気供給等装置は、前記第１空気の水蒸気を前記調湿材に吸着させるために、前記第１空気を、前記ケーシングの内部に、前記第１端部側から供給して前記第２端部側から取り出す吸湿モードと、前記吸湿モードに続いて、前記第２空気に前記調湿材の水蒸気を放出させるために、前記第２空気を、前記ケーシングの内部に、前記第２端部側から供給して前記第１端部側から取り出す放湿モードとを実行することを特徴とする。
【００１１】
本発明に係る前記調湿システムにおいて、前記ケーシングは、前記第１端部側に、前記第１空気が供給される第１入口と、前記第２空気が取り出される第１出口とが形成されていてもよい。
【００１２】
本発明に係る前記調湿システムにおいて、前記ケーシングは、前記第２端部側に、前記第２空気が供給される第２入口と、前記第１空気が取り出される第２出口とが形成されていてもよい。
【００１３】
本発明に係る前記調湿システムにおいて、前記調湿材は、前記長手方向に空気を通過させる複数の筒状空間を区画するエレメントを含み、前記エレメントの前記第１端部側及び前記第２端部側の少なくとも一方の端部は、前記長手方向と直交する平面に対して斜めに形成されていてもよい。
【００１４】
本発明は、調湿装置へ空気を供給するための方法であって、前記調湿装置は、第１端部と第２端部とを規定する長手方向を有するケーシングと、前記ケーシングの内部かつ前記第１端部と前記第２端部の間に配された調湿材とを含み、前記調湿材が、相対湿度の高い第１空気から水蒸気を吸着し、かつ、相対湿度の低い第２空気に自らが吸着した水蒸気を放出しうるものであり、前記方法は、前記第１空気の水蒸気を前記調湿材に吸着させるために、前記第１空気を、前記ケーシングの内部に、前記第１端部側から供給して前記第２端部側から取り出す第１工程と、前記第１工程に続いて、前記第２空気に前記調湿材から水蒸気を放出させるために、前記第２空気を、前記ケーシングの内部に、前記第２端部側から供給して前記第１端部側から取り出す第２工程とを含むことを特徴とする。
【発明の効果】
【００１５】
本発明の調湿システムは、調湿装置と、前記調湿装置との間で空気の供給及び取り出しを行うための空気供給等装置とを含む。前記空気供給等装置は、相対湿度の高い第１空気の水蒸気を調湿材に吸着させるために、前記第１空気を、ケーシングの内部に、第１端部側から供給して第２端部側から取り出す吸湿モードを実行する。さらに、前記空気供給等装置は、前記吸湿モードに続いて、相対湿度の低い第２空気に前記調湿材の水蒸気を放出させるために、前記第２空気を、前記ケーシングの内部に、前記第２端部側から供給して前記第１端部側から取り出す放湿モードを実行する。
【００１６】
本発明の前記調湿システムにおいて、前記吸湿モードでは、前記調湿材への前記水蒸気の吸着に伴い、前記ケーシングの内部の空気の相対湿度を、前記第１端部側から前記第２端部側に向かって低くすることができる。一方、前記放湿モードでは、前記調湿材の前記水蒸気の空気中への放出により、前記ケーシングの内部の空気の相対湿度は、前記第２端部側から前記第１端部側に向かって高くすることができる。すなわち、前記放湿モードでは、前記ケーシングの内部の空気の相対湿度を、前記吸湿モードと同様に、前記第１端部側から前記第２端部側に向かって低くすることができる。
【００１７】
以上のように、本発明の前記調湿システムは、前記吸湿モードと前記放湿モードとの間で、前記ケーシングの長手方向において、空気の相対湿度の差の偏りを小さくすることができる。したがって、ケーシング内の長手方向において、調湿材の吸放湿性能を全面的に活用することができる。
【図面の簡単な説明】
【００１８】
【図１】調湿システムを利用した建物の一例を示す概念図である。
【図２】調湿装置の一例を示す斜視図である。
【図３】吸湿モードの調湿装置の一例を示す断面図である。
【図４】放湿モードの調湿装置の一例を示す断面図である。
【図５】調湿材の一例を示す正面図である。
【図６】（ａ）は、本発明の他の実施形態の調湿装置の一例を示す平面図、（ｂ）は、本発明の他の実施形態の調湿装置の一例を示す平面図である。
【図７】空気供給方法の処理手順の一例を示すフローチャートである。
【図８】（ａ）は、第１調湿装置の吸湿モード、及び、第２調湿装置の放湿モードの一例を示す図、（ｂ）は、第１調湿装置の放湿モード、及び、第２調湿装置の吸湿モードの一例を示す図である。
【図９】（ａ）は、本実施形態の調湿システムのケーシングの内部で測定された相対湿度の一例を示すグラフ、（ｂ）は、従来の調湿システムのケーシングの内部で測定された相対湿度の一例を示すグラフである。
【発明を実施するための形態】
【００１９】
以下、本発明の実施の一形態が図面に基づき説明される。なお、各図面は、発明の内容の理解を高めるためのものであり、誇張された表示が含まれる他、各図面間において、縮尺等は厳密に一致していない点が予め指摘される。
【００２０】
図１は、調湿システム１を利用した建物（住宅）２の一例を示す概念図である。本実施形態の調湿システム１は、建物２の居室３の調湿に用いられる態様が例示されるが、特に限定されるわけではなく、調湿が必要な空間であれば適宜用いることができる。本実施形態では、例えば、冬期において、居室３を換気しながら空調及び加湿する調湿システム１、及び、調湿システム１を構成する調湿装置５に空気を供給するための方法（以下、単に「空気供給方法」ということがある。）について説明する。
【００２１】
本実施形態の調湿システム１は、調湿装置５と、空気供給等装置６とを含んで構成されている。
【００２２】
本実施形態の調湿装置５は、第１調湿装置５Ａと、第２調湿装置５Ｂとを含んでいる。なお、調湿装置５は、第１調湿装置５Ａ及び第２調湿装置５Ｂのいずれか一方のみで構成されてもよいし、第１調湿装置５Ａ及び第２調湿装置５Ｂ以外にさらに他の調湿装置（図示省略）が含まれてもよい。
【００２３】
本実施形態では、第１調湿装置５Ａ及び第２調湿装置５Ｂは、実質的に同一仕様を有している。ここで、「実質的に同一仕様」とは、形状、容積、及び、調湿能力が同一（ただし、誤差等を含む）であることを示している。第１調湿装置５Ａ及び第２調湿装置５Ｂは、並列的に用いられている。本実施形態では、第１調湿装置５Ａ及び第２調湿装置５Ｂが分離可能に独立して形成されているが、第１調湿装置５Ａ及び第２調湿装置５Ｂが一体に形成されていてもよい。
【００２４】
図２は、調湿装置の一例を示す斜視図である。図３は、吸湿モードの調湿装置の一例を示す断面図である。図４は、放湿モードの調湿装置の一例を示す断面図である。本実施形態の調湿装置５（第１調湿装置５Ａ及び第２調湿装置５Ｂ）は、ケーシング９と、調湿材１０とを含んで構成されている。
【００２５】
本実施形態のケーシング９は、その内部に空間９ｓを有しており、断面矩形の箱状に形成されている。ケーシング９は、第１端部９ａと第２端部９ｂとを規定する長手方向Ｄ１を有している。
【００２６】
本実施形態のケーシング９は、断熱材を用いて形成されている。これにより、ケーシング９の内部の空間９ｓは、ケーシング９の外部と断熱されるため、ケーシング９の空間９ｓの温度（ひいては、相対湿度（相対蒸気圧））の変動を最小限に抑えることができる。これは、調湿材１０に安定した吸湿機能又は放湿機能を発揮させるのに有効である。断熱材としては、例えば、スチレンボード、ロックウールボード、及び、グラスウールボード等を採用することができる。本実施形態では、耐火性に優れるロックウールボード、又は、グラスウールボードが採用される。断熱材の外側には、例えば、化粧材（図示省略）等が配置されてもよい。
【００２７】
本実施形態のケーシング９は、第１チャンバー部９Ａと、第２チャンバー部９Ｂと、中央チャンバー部９Ｃとを含んで構成されている。これらの第１チャンバー部９Ａ、第２チャンバー部９Ｂ、及び、中央チャンバー部９Ｃは、分解可能に連結されている。これにより、ケーシング９のメンテナンス性を向上させることができる。第１チャンバー部９Ａ、第２チャンバー部９Ｂ、及び、中央チャンバー部９Ｃの連結には、例えば、気密性の高いテープ材（図示省略）や、ワンタッチで取り付け及び取外しが可能なコネクタ手段（図示省略）等の連結具等が用いられる。
【００２８】
第１チャンバー部９Ａは、ケーシング９の第１端部９ａ側に配されている。第２チャンバー部９Ｂは、ケーシング９の第２端部９ｂ側に配されている。中央チャンバー部９Ｃは、第１チャンバー部９Ａと第２チャンバー部９Ｂとの間に配されている。第１チャンバー部９Ａの内部の空間９ｓ、第２チャンバー部９Ｂの内部の空間９ｓ、及び、中央チャンバー部９Ｃの内部の空間９ｓは、ケーシング９の第１端部９ａから第２端部９ｂにかけて連通している。
【００２９】
ケーシング９（第１チャンバー部９Ａ）の第１端部９ａ側には、相対湿度の高い第１空気Ａ１が供給される第１入口１１と、相対湿度の低い第２空気Ａ２が取り出される第１出口１２とが形成されている。一方、ケーシング９（第２チャンバー部９Ｂ）の第２端部９ｂ側には、相対湿度の低い第２空気Ａ２が供給される第２入口１３と、相対湿度の高い第１空気Ａ１が取り出される第２出口１４とが形成されている。
【００３０】
第１入口１１及び第１出口１２は、ケーシング９の内部の空間９ｓと外部との間を連通する貫通孔として形成されている。本実施形態の第１入口１１は、第１チャンバー部９Ａの上面部に設けられている。一方、第１出口１２は、第１チャンバー部９Ａの第１端部９ａ側の側面部に設けられている。
【００３１】
第２入口１３及び第２出口１４は、ケーシング９の内部の空間９ｓと外部との間を連通する貫通孔として形成されている。本実施形態の第２入口１３は、第２チャンバー部９Ｂの第２端部９ｂ側の側面部に設けられている。一方、第２出口１４は、第２チャンバー部９Ｂの第２端部９ｂ側の上面部に設けられている。
【００３２】
図３に示されるように、ケーシング９には、後述の空気供給等装置６のダンパー２１により、例えば、第１入口１１及び第２出口１４が開かれ、かつ、第２入口１３及び第１出口１２が閉じられることにより、第１入口１１と第２出口との間で、相対湿度の高い第１空気Ａ１を通過させるための空気通路が形成される。一方、図４に示されるように、ケーシング９には、後述の空気供給等装置６のダンパー２１により、例えば、第２入口１３及び第１出口１２が開かれ、かつ、第１入口１１及び第２出口１４が閉じられることにより、第２入口１３と第１出口１２との間で、相対湿度の低い第２空気Ａ２を通過させるための空気通路が形成される。
【００３３】
調湿材１０は、吸放湿性能を有しており、相対湿度の高い第１空気Ａ１（図３に示す）から水蒸気を吸着し、かつ、相対湿度の低い第２空気Ａ２（図４に示す）に自らが吸着した水蒸気を放出しうるものである。
【００３４】
調湿材１０は、ケーシング９の内部、かつ、第１端部９ａと第２端部９ｂの間（本実施形態では、中央チャンバー部９Ｃ）に配されている。図２に示されるように、本実施形態の調湿材１０は、その断面が、ケーシング９の内部の空間９ｓの断面と略同一（即ち、空間９ｓと同一、又は、やや小さい）の大きさを有する矩形状に形成されている。
【００３５】
図５は、調湿材１０の一例を示す正面図である。本実施形態の調湿材１０は、複数のエレメント１５を含んで構成されている。これらのエレメント１５が積層されることによって、上記形状を有する調湿材１０が形成されている。エレメント１５は、シート状に形成された調湿面材１６を積層させることで、複数の筒状空間１７を区画している。
【００３６】
図３及び図４に示されるように、各筒状空間１７は、エレメント１５の第１端部９ａ側の端部（以下、単に「一端部」ということがある。）１５ａと、第２端部９ｂ側の端部（以下、単に「他端部」ということがある。）１５ｂとの間で、それぞれ連続してのびている。これにより、エレメント１５（調湿材１０）は、ケーシング９の長手方向Ｄ１において、各筒状空間１７に空気（第１空気Ａ１及び第２空気Ａ２）を通過させることができる。
【００３７】
図５に示されるように、エレメント１５は、例えば、オニ段状、又は、ハニカム状（図示省略）に形成されるのが望ましい。このようなエレメント１５は、例えば、碁盤目状に形成される場合に比べて、湿気交換面積、及び、その強度を大きくすることができる。また、調湿装置５に導入される空気（図３に示した第１空気Ａ１、及び、図４に示した第２空気Ａ２）の圧力損失を低減しつつ、湿気交換面積を確保するために、隣接する調湿面材１６、１６間の断高さＨ１は、例えば５〜１５mmが望ましい。調湿面材１６を構成する材料としては、吸放湿性能を有するものであれば、適宜採用することができる。本実施形態の調湿面材１６には、パルプ繊維が採用されている。
【００３８】
調湿材１０には、例えば、調湿面材１６（エレメント１５）とは異なる水蒸気の吸着性能を有する吸着材（図示省略）が担持されていてもよい。これにより、調湿材１０は、広い範囲の相対蒸気圧において、水蒸気を吸着又は放出することができる。吸着材としては、適宜採用することができる。本実施形態の吸着材は、Ａ形シリカゲルが採用されている。
【００３９】
図６（ａ）は、本発明の他の実施形態の調湿装置５の一例を示す平面図である。図６（ａ）に示されるように、本実施形態のエレメント１５（調湿材１０）の一端部１５ａ及び他端部１５ｂは、長手方向Ｄ１と直交する平面と平行に形成されているが、このような態様に限定されない。図６（ｂ）は、本発明の他の実施形態の調湿装置５の一例を示す平面図である。この実施形態のエレメント１５（調湿材１０）の一端部１５ａ及び他端部１５ｂの少なくとも一方は、長手方向Ｄ１と直交する平面に対して斜めに形成されていてもよい。
【００４０】
図６（ｂ）の調湿材１０は、図６（ａ）の調湿材１０に比べて、第１端部９ａから供給される空気（第１空気Ａ１）の流れ、又は、第２端部９ｂから供給される空気（第２空気Ａ２）の流れをスムーズにすることができる。これにより、調湿材１０は、第１端部９ａから供給される空気（第１空気Ａ１）との摩擦、又は、第２端部９ｂから供給される空気（第２空気Ａ２）との摩擦を小さくできるため、湿気交換面積を維持しつつ、圧力損失を低減することができる。このような作用を効果的に発揮させるために、エレメント１５の端部は、例えば、長手方向Ｄ１と直交する平面に対して１５〜４０度の角度αで傾斜するのが望ましい。
【００４１】
この実施形態のエレメント１５は、その一端部１５ａ及び他端部１５ｂの双方が、長手方向Ｄ１と直交する平面に対して斜めに形成されている。これにより、エレメント１５は、第１端部９ａから供給される空気（第１空気Ａ１）との摩擦、及び、第２端部９ｂから供給される空気（第２空気Ａ２）との摩擦の双方を小さくできるため、圧力損失を効果的に低減することができる。
【００４２】
エレメント１５（調湿材１０）の一端部１５ａ及び他端部１５ｂは、例えば、斜めにカットされてもよいし、各エレメント１５を長手方向Ｄ１に階段状に位置ずれさせることで、調湿材１０の長手方向Ｄ１の端部を斜めに形成してもよい。
【００４３】
図１に示されるように、空気供給等装置６は、調湿装置５との間で空気の供給及び取り出しを行うためのものである。本実施形態の空気供給等装置６は、ダンパー２１、第１空気供給装置２２、第１空気取出装置２３、第２空気供給装置２４、第２空気取出装置２５、及び、制御装置２６を含んで構成されている。
【００４４】
図２及び図３に示されるように、本実施形態のダンパー２１は、ケーシング９の第１入口１１、第１出口１２、第２入口１３、及び、第２出口１４を開閉するためのものである。ダンパー２１は、第１差圧ダンパー２１Ａ、第２差圧ダンパー２１Ｂ、第１電動ダンパー２１Ｃ、及び、第２電動ダンパー２１Ｄを含んで構成されている。
【００４５】
第１差圧ダンパー２１Ａは、第１入口１１を開閉するためのものである。本実施形態の第１差圧ダンパー２１Ａは、第１入口１１に接続されているダクト３１の内部に設けられている。本実施形態の第１差圧ダンパー２１Ａは、動力源を必要としないチャッキダンパーとして構成されている。このため、第１差圧ダンパー２１Ａは、ケーシング９の内、外の圧力差によって、第１入口１１を開閉することができる。このような第１差圧ダンパー２１Ａが採用されることにより、ケーシング９の製造コスト、及び、ランニングコストを抑制することができる。本実施形態の第１差圧ダンパー２１Ａは、ケーシング９内が負圧になったとき（本実施形態では、第２出口１４から第１空気Ａ１が取り出されるとき）のみ開くように設定されている。
【００４６】
第１差圧ダンパー２１Ａが設けられるダクト３１の外面は、断熱材（図示省略）で覆われるのが望ましい。これにより、ダクト３１の内部の空間は、ダクト３１の外部と断熱されるため、ダクト３１の内部の空間の温度（ひいては、相対湿度（相対蒸気圧））の変動を最小限に抑えることができる。
【００４７】
図２及び図４に示されるように、第２差圧ダンパー２１Ｂは、第１出口１２を開閉するためのものである。本実施形態の第２差圧ダンパー２１Ｂは、第１出口１２に接続されているダクト３２の内部に設けられている。第２差圧ダンパー２１Ｂは、第１差圧ダンパー２１Ａと同様に、チャッキダンパーとして構成されている。このため、第２差圧ダンパー２１Ｂは、ケーシング９の内、外の圧力差によって、第１出口１２を開閉することができる。このような第２差圧ダンパー２１Ｂが採用されることにより、ケーシング９の製造コスト、及び、ランニングコストを抑制することができる。本実施形態の第２差圧ダンパー２１Ｂは、ケーシング９内が正圧になったとき（本実施形態では、第２入口１３から第２空気Ａ２が供給されるとき）のみ開くように設定されている。第２差圧ダンパー２１Ｂが設けられるダクト３２の外面は、第１差圧ダンパー２１Ａが設けられるダクト３１と同様に、断熱材（図示省略）で覆われるのが望ましい。
【００４８】
図２及び図３に示されるように、第１電動ダンパー２１Ｃは、第２出口１４を開閉するためのものである。本実施形態の第１電動ダンパー２１Ｃは、第２チャンバー部９Ｂの内部に設けられている。第１電動ダンパー２１Ｃは、電動機３３（図３に示す）の駆動によって、第２出口１４の開閉が行われる。電動機３３の駆動は、制御装置２６（図１に示す）によって制御される。このような第１電動ダンパー２１Ｃは、ケーシング９の内、外の圧力差に影響されることなく、第２出口１４を開閉することができる。
【００４９】
図２及び図４に示されるように、第２電動ダンパー２１Ｄは、第２入口１３を開閉するためのものである。本実施形態の第２電動ダンパー２１Ｄは、第２入口１３に接続されているダクト３５の内部に設けられている。第２電動ダンパー２１Ｄは、電動機３６（図４に示す）の駆動によって、第２入口１３の開閉が行われる。電動機３６の駆動は、制御装置２６（図１に示す）によって制御される。このような第２電動ダンパー２１Ｄは、ケーシング９の内、外の圧力差に影響されることなく、第２入口１３を開閉することができる。第２電動ダンパー２１Ｄが設けられるダクト３５の外面は、第１差圧ダンパー２１Ａが設けられるダクト３１と同様に、断熱材（図示省略）で覆われるのが望ましい。
【００５０】
図１に示されるように、第１空気供給装置２２は、相対湿度の高い第１空気Ａ１（図３に示す）を、調湿装置５（ケーシング９）に供給するためのものである。本実施形態の第１空気供給装置２２は、例えば、筒状に形成されたダクトによって形成されている。
【００５１】
第１空気供給装置２２の一端は、小屋裏２８（又は屋外２９）に接続されている。一方、第１空気供給装置２２の他端は、調湿装置５の第１入口１１に接続されている。本実施形態では、第１調湿装置５Ａの第１入口１１（図示省略）、及び、第２調湿装置５Ｂの第１入口１１に分岐して接続されている。このような第１空気供給装置２２は、小屋裏２８（又は屋外２９）の相対湿度の高い第１空気（外気又は小屋裏２８の空気）Ａ１を、第１入口１１を介して、第１調湿装置５Ａ又は第２調湿装置５Ｂの調湿材１０（図３に示す）に案内することができる。
【００５２】
第１空気供給装置２２を構成するダクトの外面は、断熱材（図示省略）で覆われるのが望ましい。これにより、第１空気供給装置２２は、第１空気Ａ１（図３に示す）の温度（ひいては、相対湿度（相対蒸気圧））の変動を最小限に抑えることができる。
【００５３】
図２及び図３に示されるように、第１空気取出装置２３は、調湿材１０に水蒸気を吸着させた第１空気Ａ１を、調湿装置５（ケーシング９）から取り出すためのものである。本実施形態の第１空気取出装置２３は、その内部に空間を区画する第２ケーシング３８と、第２ケーシング３８内（及び、調湿装置５のケーシング９内）の空気を取り出すための送風手段３９とを含んで構成されている。
【００５４】
図２に示されるように、本実施形態の第２ケーシング３８は、断面矩形の箱状に形成されている。第２ケーシング３８は、調湿装置５の第２端部９ｂ側（第２チャンバー部９Ｂ）の上部に設けられている。本実施形態の第２ケーシング３８は、第１調湿装置５Ａ及び第２調湿装置５Ｂの上部に跨って配されている。なお、第２ケーシング３８は、第１調湿装置５Ａ及び第２調湿装置５Ｂにそれぞれ独立して設けられてもよい。図３に示されるように、第２ケーシング３８には、第１開口部３８ａ、及び、第２開口部３８ｂが設けられている。
【００５５】
図２及び図３に示されるように、第１開口部３８ａは、調湿装置５（本実施形態では、第１調湿装置５Ａ及び第２調湿装置５Ｂ）の第２出口１４を介して、第２ケーシング３８の内部の空間と、調湿装置５のケーシング９の内部の空間とを連通させるためのものである。第１開口部３８ａは、第２ケーシング３８の下面部に設けられている。
【００５６】
図３に示されるように、第２開口部３８ｂは、第２ケーシング３８の内部の空間とその外部との間を連通する貫通孔として形成されている。本実施形態の第２開口部３８ｂは、第２ケーシング３８の内部の空間と、図１に示した小屋裏２８（又は屋外２９）との間を連通させている。
【００５７】
第２ケーシング３８と調湿装置５のケーシング９との間で空気漏れ等を防ぐために、第２ケーシング３８は、ケーシング９と隙間なく連結されるのが望ましい。第２ケーシング３８とケーシング９との連結手段としては、例えば、第１チャンバー部９Ａ、第２チャンバー部９Ｂ、及び、中央チャンバー部９Ｃの連結するための手段と同一のものを採用することができる。
【００５８】
第２ケーシング３８は、断熱材を用いて形成されるのが望ましい。これにより、第２ケーシング３８の内部の空間は、第２ケーシング３８の外部と断熱されるため、第２ケーシング３８と連通する調湿装置５のケーシング９の内部の温度（ひいては、相対湿度（相対蒸気圧））の変動を最小限に抑えることができる。
【００５９】
送風手段３９は、第２ケーシング３８の内部の空気を取り出すためのものである。本実施形態の送風手段３９は、第２開口部３８ｂに配されており、第２ケーシング３８の第２端部９ｂ側に突出して設けられている。本実施形態の送風手段３９は、電動機（図示省略）によって回転するファン（図示省略）と、第２ケーシング３８から取り出された空気を排出するためのダクト４０とを含んで構成されている。ファンの起動及び停止、並びに、ファンの風量の調節は、図１に示した制御装置２６に記憶されている手順や、使用者による操作等によって行われる。
【００６０】
図３に示されるように、第１空気取出装置２３は、例えば、調湿装置５（第１調湿装置５Ａ又は第２調湿装置５Ｂ）の第２出口１４が開かれた状態で、送風手段３９が起動することで、第２ケーシング３８の内部、及び、調湿装置５のケーシング９の内部を負圧にすることができる。これにより、第１空気取出装置２３は、調湿材１０に水蒸気を吸着させた第１空気Ａ１を、第２出口１４、及び、第１開口部３８ａを介して、調湿装置５の外部に取り出すことができる。
【００６１】
図１に示されるように、第２空気供給装置２４は、相対湿度の低い第２空気Ａ２（図４に示す）を、調湿装置５（ケーシング９）に供給するためのものである。本実施形態の第２空気供給装置２４は、空調機４１、及び、空調機４１と調湿装置５（第１調湿装置５Ａ及び第２調湿装置５Ｂ）との間をのびる第１流路４２を含んで構成されている。
【００６２】
空調機４１は、ヒートポンプ式の空気調和機である場合が例示される。空調機４１は、建物２の内部に設置された室内機４１ａと、建物２の外部に設置された室外機（図示省略）とを含んで構成されている。室内機４１ａは、熱源チャンバー４３内に格納されている。このような空調機４１は、室内機４１ａで空調（加熱）された相対湿度の低い第２空気Ａ２（図４に示す）を吹き出すことができる。
【００６３】
熱源チャンバー４３は、内部に断熱された空間を区画している。熱源チャンバー４３には、室内空気Ａ３と新鮮な外気Ａ４との混合気を、室内機４１ａの空気吸込口（図示省略）に案内している。そして、熱源チャンバー４３は、室内機４１ａが混合気を加熱した相対湿度の低い第２空気Ａ２を、第１流路４２を介して、調湿装置５（第１調湿装置５Ａ及び第２調湿装置５Ｂ）に供給している。
【００６４】
第１流路４２は、筒状に形成されたダクトとして構成されている。このダクトの外面は、断熱材（図示省略）で覆われるのが望ましい。これにより、第２空気Ａ２の温度（ひいては、相対湿度（相対蒸気圧））の変動を最小限に抑えることができる。第１流路４２は、ダクトで構成される態様に限定されるわけではなく、例えば、間仕切り壁などの仕切り等（図示省略）で囲まれた空間で形成されてもよい。
【００６５】
第１流路４２の一端は、熱源チャンバー４３に接続されている。第１流路４２の他端は、調湿装置５の第２入口１３に接続されている。本実施形態の第１流路４２の他端は、第１調湿装置５Ａの第２入口１３（図示省略）、及び、第２調湿装置５Ｂの第２入口１３に分岐して接続されている。
【００６６】
このような第２空気供給装置２４は、例えば、調湿装置５（第１調湿装置５Ａ又は第２調湿装置５Ｂ）の第２入口１３が開かれた状態で、空調機４１を起動することで、空調機４１で空調された相対湿度の低い第２空気Ａ２（図４に示す）を、調湿装置５（第１調湿装置５Ａ及び第２調湿装置５Ｂ）の調湿材１０（図４に示す）に供給することができる。
【００６７】
図１に示されるように、第２空気取出装置２５は、調湿材１０の水蒸気が放出された第２空気Ａ２（図４に示す）を、調湿装置５（ケーシング９）から取り出すためのものである。本実施形態の第２空気取出装置２５は、例えば、筒状に形成されたダクトによって形成されている。このダクトの外面は、断熱材で覆われるのが望ましい。なお、第２空気取出装置２５は、ダクトで形成される態様に限定されるわけではなく、例えば、間仕切り壁などの仕切り等（図示省略）で囲まれた空間で形成されてもよい。
【００６８】
第２空気取出装置２５の一端は、調湿装置５の第１出口１２に接続されている。本実施形態の第２空気取出装置２５の一端は、第１調湿装置５Ａの第１出口１２（図示省略）、第２調湿装置５Ｂの第１出口１２に分岐して接続されている。第２空気取出装置２５の他端は、居室３、３に分岐して接続されている。
【００６９】
このような第２空気取出装置２５は、例えば、調湿装置５（第１調湿装置５Ａ及び第２調湿装置５Ｂ）の第１出口１２が開かれることで、調湿材１０の水蒸気が放出された第２空気Ａ２（図４に示す）を、居室３に供給することができる。
【００７０】
制御装置２６（図１に示す）は、例えば、マイコンとして構成されており、ＣＰＵ（中央演算装置）からなる演算部（図示省略）と、制御手順が予め記憶されている記憶部（図示省略）と、記憶部から制御手順を読み込む作業用メモリ（図示省略）とを含んで構成されている。
【００７１】
上記の構成を有する空気供給等装置６は、吸湿モード、及び、放湿モードを実行する。吸湿モードは、図３に示されるように、相対湿度の高い第１空気Ａ１の水蒸気を調湿材１０に吸着させるために実行される。本実施形態の吸湿モードでは、第１空気Ａ１を、ケーシング９の内部に、第１端部９ａ側から供給して第２端部９ｂ側から取り出している。一方、放湿モードは、図４に示されるように、相対湿度の低い第２空気Ａ２に調湿材１０の水蒸気を放出させるに実行される。本実施形態の放湿モードは、吸湿モードに続いて実行され、第２空気Ａ２を、ケーシング９の内部に、第２端部９ｂ側から供給して第１端部９ａ側から取り出している。
【００７２】
本実施形態の吸湿モード及び放湿モードは、調湿装置５へ空気（第１空気Ａ１及び第２空気Ａ２）を供給するための予め定められた手順（即ち、空気供給方法）に基づいて、制御装置２６が、ダンパー２１、第１空気供給装置２２、第１空気取出装置２３、第２空気供給装置２４、及び、第２空気取出装置２５を制御することで実行される。図７は、空気供給方法の処理手順の一例を示すフローチャートである。
【００７３】
本実施形態の空気供給方法では、空気供給等装置６（制御装置２６）が計時を開始した後（工程Ｓ１）、空気供給等装置６が、第１調湿装置５Ａの吸湿モードを実行し（第１工程Ｓ２）、かつ、第２調湿装置５Ｂの放湿モードを実行する（第２工程Ｓ３）。本実施形態では、第１工程Ｓ２及び第２工程Ｓ３が同時に実行される。図８（ａ）は、第１調湿装置５Ａの吸湿モード、及び、第２調湿装置５Ｂの放湿モードの一例を示す図である。
【００７４】
本実施形態の第１調湿装置５Ａの吸湿モード（第１工程Ｓ２）では、先ず、第１調湿装置５Ａの第２出口１４を第１電動ダンパー２１Ｃで開き、かつ、第２調湿装置５Ｂの第２出口１４を第１電動ダンパー２１Ｃで閉じる。次に、第１調湿装置５Ａの吸湿モードでは、第１空気取出装置２３の送風手段３９を起動する。なお、送風手段３９が既に起動している場合には、送風手段３９を改めて起動し直す必要はない。これにより、第１調湿装置５Ａの吸湿モードでは、第１調湿装置５Ａのケーシング９内が負圧になり、第１調湿装置５Ａの内、外の圧力差によって、第１調湿装置５Ａの第１差圧ダンパー２１Ａ（第１入口１１）を開くことができる。
【００７５】
第１調湿装置５Ａの第１入口１１が開くことにより、第１調湿装置５Ａの吸湿モード（第１工程Ｓ２）では、第１調湿装置５Ａのケーシング９と、図１に示した小屋裏２８（又は屋外２９）との間を連通させることができる。これにより、第１調湿装置５Ａの吸湿モードでは、第１空気供給装置２２を介して、相対湿度の高い第１空気（外気又は小屋裏２８の空気）Ａ１を、第１調湿装置５Ａの調湿材１０（図３に示す）に供給することができる。この第１空気Ａ１の供給により、第１調湿装置５Ａの吸湿モードでは、第１空気Ａ１の水蒸気を、第１調湿装置５Ａの調湿材１０に吸着させることができる。
【００７６】
調湿材１０に水蒸気を吸着させた（即ち、相対湿度が低下した）第１空気Ａ１は、第１空気取出装置２３によって、第１調湿装置５Ａの外部に取り出される。本実施形態では、調湿材１０に水蒸気を吸着させた第１空気Ａ１を、図１に示した小屋裏２８（又は屋外２９）に排出している。これにより、空気供給等装置６は、居室３（図１に示す）の湿度や温度を低下させることもない。
【００７７】
本実施形態の第２調湿装置５Ｂの放湿モード（第２工程Ｓ３）では、先ず、第２調湿装置５Ｂの第２入口１３を第２電動ダンパー２１Ｄで開き、かつ、第１調湿装置５Ａの第２入口１３を第２電動ダンパー２１Ｄで閉じる。次に、第２調湿装置５Ｂの放湿モードでは、第２空気供給装置２４の空調機４１（図１に示す）を起動する。なお、空調機４１が既に起動している場合には、空調機４１を改めて起動し直す必要はない。これにより、第２調湿装置５Ｂの放湿モードでは、空調機４１で空調された相対湿度の低い第２空気Ａ２を、第１流路４２を介して、第２調湿装置５Ｂに供給することができる。この第２空気Ａ２の供給により、第２調湿装置５Ｂの放湿モードでは、第２調湿装置５Ｂの調湿材１０（図４に示す）が吸着した水蒸気を、第２空気Ａ２に放出させることができる。
【００７８】
第２空気Ａ２の供給により、第２調湿装置５Ｂのケーシング９内が正圧になるため、第２調湿装置５Ｂの内、外の圧力差によって、第２差圧ダンパー２１Ｂ（第１出口１２）を開くことができる。これにより、第２調湿装置５Ｂの放湿モードでは、調湿材１０（図４に示す）の水蒸気が放出された（即ち、相対湿度が高められた）第２空気Ａ２を、第１出口１２、及び、第２空気取出装置２５を介して、居室３（図１に示す）に供給することができる。
【００７９】
このように、放湿モードでは、夏期に比べて居室３（図１に示す）の相対湿度が低くなる冬期において、居室３を暖房しつつ効果的に加湿することができる。また、居室３に供給された空気は、図１に示した熱源チャンバー４３を介して、空調機４１に供給されるため、暖房空調された室内空気Ａ３を再利用することができる。
【００８０】
次に、本実施形態の空気供給方法では、空気供給等装置６（制御装置２６）が、予め定められた時間が経過したか否かを判断する（工程Ｓ４）。工程Ｓ４において、結果が否定的である場合（工程Ｓ４で、「Ｎ」）、第１工程Ｓ２及び第２工程Ｓ３をループする。従って、本実施形態の空気供給方法では、予め定められた時間が経過するまで、第１調湿装置５Ａの吸湿モード、及び、第２調湿装置５Ｂの放湿モードが実行される。上記「時間」については、任意に設定することができる。上記時間は、調湿材１０（図４に示す）の吸放湿性能等に基づいて、第２調湿装置５Ｂの調湿材１０の水蒸気が完全に放出されるまでのぎりぎりの時間として設定されるのが望ましい。
【００８１】
一方、工程Ｓ４において、結果が肯定的である場合（工程Ｓ４で、「Ｙ」）、空気供給等装置６（制御装置２６）は、これまでの計時をリセットし（工程Ｓ５）、新たな計時を開始する（工程Ｓ６）。
【００８２】
次に、本実施形態の空気供給方法では、空気供給等装置６が、第１調湿装置５Ａの放湿モードを実行し（第２工程Ｓ７）、かつ、第２調湿装置５Ｂの吸湿モードを実行する（第１工程Ｓ８）。第２工程Ｓ７及び第１工程Ｓ８は、同時に実行される。図８（ｂ）は、第１調湿装置５Ａの放湿モード、及び、第２調湿装置５Ｂの吸湿モードの一例を示す図である。
【００８３】
本実施形態の第１調湿装置５Ａの放湿モード（第２工程Ｓ７）では、先ず、第１調湿装置５Ａの第２入口１３を第２電動ダンパー２１Ｄで開き、かつ、第２調湿装置５Ｂの第２入口１３を第２電動ダンパー２１Ｄで閉じる。次に、第１調湿装置５Ａの放湿モードでは、第２空気供給装置２４の空調機４１（図１に示す）を起動する。なお、空調機４１が既に起動している場合には、空調機４１を改めて起動し直す必要はない。これにより、第１調湿装置５Ａの放湿モードでは、空調機４１で空調された相対湿度の低い第２空気Ａ２を、第１流路４２を介して、第１調湿装置５Ａに供給することができる。この第２空気Ａ２の供給により、第１調湿装置５Ａの放湿モードでは、第１工程Ｓ２において第１調湿装置５Ａの調湿材１０（図４に示す）に吸着させた水蒸気を、第２空気Ａ２に放出させることができる。
【００８４】
第２空気Ａ２の供給により、第１調湿装置５Ａのケーシング９内が正圧になるため、第１調湿装置５Ａの内、外の圧力差によって、第２差圧ダンパー２１Ｂ（第１出口１２）を開くことができる。これにより、第１調湿装置５Ａの放湿モードでは、調湿材１０の水蒸気が放出された（即ち、相対湿度が高められた）第２空気Ａ２を、第１出口１２、及び、第２空気取出装置２５を介して、居室３（図１に示す）に供給することができる。
【００８５】
本実施形態の第２調湿装置５Ｂの吸湿モード（第１工程Ｓ８）では、先ず、第２調湿装置５Ｂの第２出口１４を第１電動ダンパー２１Ｃで開き、かつ、第１調湿装置５Ａの第２出口１４を第１電動ダンパー２１Ｃで閉じる。次に、第２調湿装置５Ｂの吸湿モードでは、第１空気取出装置２３の送風手段３９を起動する。なお、送風手段３９が既に起動している場合には、送風手段３９を改めて起動し直す必要はない。これにより、第２調湿装置５Ｂの吸湿モードでは、第２調湿装置５Ｂのケーシング９内が負圧になり、第２調湿装置５Ｂの内、外の圧力差によって、第２調湿装置５Ｂの第１差圧ダンパー２１Ａ（第１入口１１）を開くことができる。
【００８６】
第２調湿装置５Ｂの第１入口１１が開くことにより、第２調湿装置５Ｂの吸湿モード（第１工程Ｓ８）では、第２調湿装置５Ｂのケーシング９と、図１に示した小屋裏２８（又は屋外２９）との間を連通させることができる。これにより、第２調湿装置５Ｂの吸湿モードでは、第１空気供給装置２２を介して、相対湿度の高い第１空気（外気又は小屋裏２８の空気）Ａ１を、第１調湿装置５Ａの調湿材１０に供給することができる。この第１空気Ａ１の供給により、第２調湿装置５Ｂの吸湿モードでは、第２工程Ｓ３において水蒸気を放出した第２調湿装置５Ｂの調湿材１０（図３に示す）に、第１空気Ａ１の水蒸気を吸着させることができる。
【００８７】
調湿材１０に水蒸気を吸着させた（即ち、相対湿度が低下した）第１空気Ａ１は、第１空気取出装置２３の送風手段３９により、第２調湿装置５Ｂの外部に取り出される。本実施形態では、調湿材１０に水蒸気を吸着させた第１空気Ａ１を、小屋裏２８（又は屋外２９）に排出している。
【００８８】
次に、本実施形態の空気供給方法では、空気供給等装置６（制御装置２６）が、予め定められた前記時間が経過したか否かを判断する（工程Ｓ９）。工程Ｓ９において、結果が否定的である場合（工程Ｓ９で、「Ｎ」）、第２工程Ｓ７及び第１工程Ｓ８をループする。従って、予め定められた時間が経過するまで、第２調湿装置５Ｂの吸湿モード、及び、第１調湿装置５Ａの放湿モードが実行される。上記時間は、例えば、調湿材１０の吸放湿性能等に基づいて、第１調湿装置５Ａの調湿材１０の水蒸気が完全に放出されるまでのぎりぎりの時間として設定されるのが望ましい。
【００８９】
工程Ｓ９において、結果が肯定的である場合（工程Ｓ９で、「Ｙ」）、空気供給等装置６（制御装置２６）は、これまでの計時をリセットし（工程Ｓ１０）、新たな計時を開始する（工程Ｓ１）。以後、工程Ｓ２以降が繰り返される。なお、このような手順（即ち、空気供給方法）は、使用者による操作等によって中断又は終了する。
【００９０】
このように、本実施形態の空気供給方法（調湿システム１）では、第１調湿装置５Ａ及び第２調湿装置５Ｂにおいて、吸湿モード、及び、吸湿モードに続いて放湿モードが実行されるため、調湿材１０への第１空気Ａ１の水蒸気の吸着、及び、調湿材１０に吸着された水蒸気の第２空気Ａ２への放出を継続して行うことができる。
【００９１】
さらに、本実施形態の空気供給方法（調湿システム１）では、第１調湿装置５Ａと第２調湿装置５Ｂとは、常に異なるモード（吸湿モード及び放湿モード）が実行される。これにより、空気供給方法（調湿システム１）は、図８（ａ）に示されるように、第１調湿装置５Ａの吸湿モードを実行している間、第２調湿装置５Ｂの放湿モードを実行することができる。一方、図８（ｂ）に示されるように、空気供給方法（調湿システム１）は、第１調湿装置５Ａの放湿モードを実行している間、第２調湿装置５Ｂの吸湿モードを実行することができる。従って、本実施形態の空気供給方法（調湿システム１）では、第１調湿装置５Ａ又は第２調湿装置５Ｂのそれぞれにおいて、調湿モードと放湿モードとが交互に切り替えられることで、空調された相対湿度の低い第２空気Ａ２を、居室３に連続して供給することができる。
【００９２】
図９（ａ）は、本実施形態の調湿システム１のケーシング９の内部で測定された相対湿度の一例を示すグラフである。図９（ｂ）は、従来の調湿システムのケーシングの内部で測定された相対湿度の一例を示すグラフである。図９（ａ）、（ｂ）の相対湿度は、吸湿モード及び放湿モードを開始してから３０分間経過後に測定された相対湿度を示している。
【００９３】
本実施形態の吸湿モード（例えば、図８（ａ）に示した第１調湿装置５Ａの吸湿モード、及び、図８（ｂ）に示した第２調湿装置５Ｂの吸湿モード）では、相対湿度の高い第１空気Ａ１を、ケーシング９の内部に、第１端部９ａ側から供給して第２端部９ｂ側から取り出している。このため、吸湿モードでは、図９（ａ）に示されるように、調湿材１０への水蒸気の吸着に伴い、ケーシング９の内部の空気の相対湿度が、第１端部９ａ側から第２端部９ｂ側に向かって低くなる。
【００９４】
本実施形態の放湿モード（例えば、図８（ａ）に示した第２調湿装置５Ｂの放湿モード、及び、図８（ｂ）に示した第１調湿装置５Ａの放湿モード）では、相対湿度の低い第２空気Ａ２を、ケーシング９の内部に、第２端部９ｂ側から供給して第１端部９ａ側から取り出している。このため、放湿モードでは、調湿材１０の水蒸気の空気中への放出により、ケーシング９の内部の空気の相対湿度が、第２端部９ｂ側から第１端部９ａ側に向かって高くなる。すなわち、本実施形態の放湿モードでは、ケーシング９の内部の空気の相対湿度を、吸湿モードと同様に、第１端部９ａ側から第２端部９ｂ側に向かって低くすることができる。
【００９５】
一方、従来（例えば、上記特許文献１）では、第１空気Ａ１及び第２空気Ａ２を同一方向（第１端部９ａ側から第２端部９ｂ側）に供給している。このため、従来の放湿モードでは、図９（ｂ）に示されるように、ケーシング９の内部の空気の相対湿度が、吸湿モードとは異なり、第１端部９ａ側から第２端部９ｂ側に向かって高くなる。
【００９６】
図９（ａ）、（ｂ）から明らかなように、本実施形態の調湿システム１では、従来の調湿システムに比べて、吸湿モードと放湿モードとの間の相対湿度の差Ｄ２の偏りを、長手方向Ｄ１（第１端部９ａ側から第２端部９ｂ側にかけて）で小さくできる。ここで、調湿材１０は、調湿材１０に触れる空気の相対湿度の差Ｄ２が大きいほど、吸放湿量が大きくなる。したがって、本実施形態の調湿システム１（空気供給方法）では、従来の調湿システムに比べて、ケーシング９内の長手方向において、調湿材１０の吸放湿性能を全面的に活用することができる。このような吸放湿性能を効果的に活用するために、吸湿モードと放湿モードとの間の相対湿度の差Ｄ２が１０％ＲＨ以上になるように、第１空気Ａ１及び第２空気Ａ２が供給されるのが望ましい。
【００９７】
以上、本発明の特に好ましい実施形態について詳述したが、本発明は図示の実施形態に限定されることなく、種々の態様に変形して実施しうる。
【実施例】
【００９８】
図１〜図３に示した調湿システムを用いて、建物（住宅）の居室が調湿された（実施例、比較例）。実施例の空気供給等装置（空気供給方法）では、図７に示した手順に基づいて、相対湿度の高い第１空気を、ケーシングの第１端部側から供給して第２端部側から取り出す吸湿モード（第１工程）と、  吸湿モード（第１工程）に続いて、相対湿度の低い第２空気を、ケーシングの第２端部側から供給して第１端部側から取り出す放湿モード（第２工程）とが実行された。
【００９９】
一方、比較例では、上記特許文献１と同様に、相対湿度の高い第１空気及び相対湿度の低い第２空気を、ケーシングの第１端部側から供給して第２端部側から取り出す吸湿モード及び放湿モードが実行された。そして、実施例及び比較例において、吸湿モード及び放湿モードを開始してから３０分間経過後に測定された相対湿度が測定された。実施例及び比較例の相対湿度は、次のとおりである。
第１空気（外気）：
温度：５℃
相対湿度：６０％ＲＨ
風量（送風手段）：１５０ｍ3／ｈ
第２空気：
温度：３０℃
相対湿度：２２％／ＲＨ
風量（空調機）：１７０ｍ3／ｈ
調湿材：
エレメント：パルプ繊維
寸法：縦：０．２５ｍ
横：０．２５ｍ
奥行：０．８８ｍ
吸着材：シリカゲル（ＪＩＳ  Ｚ０７０１に規定のＡ形シリカゲル）
テスト結果を表１に示す。
【０１００】
【表１】
2019207062.tif 000003
【０１０１】
テストの結果、表１に示されるように、実施例では、比較例に比べて、第１端部側の相対湿度の差Ｄ２がやや小さくなるものの、第２端部側の相対湿度の差Ｄ２を大きくすることができた。したがって、実施例の調湿システム（空気供給方法）では、従来の調湿システム（空気供給方法）に比べて、吸湿モードと放湿モードとの間の相対湿度の差Ｄ２の偏りを、ケーシングの長手方向（第１端部側から第２端部側）で小さくできた。これにより、実施例の調湿システム（空気供給方法）では、従来の調湿システム（空気供給方法）に比べて、ケーシング内の長手方向において、調湿材の吸放湿性能を全面的に活用することができた。
【符号の説明】
【０１０２】
５        調湿装置
９        ケーシング
９ａ      第１端部
９ｂ      第２端部
Ａ１      第１空気
Ａ２      第２空気
【図１】
2019207062.tif 000004
【図２】
2019207062.tif 000005
【図３】
2019207062.tif 000006
【図４】
2019207062.tif 000007
【図５】
2019207062.tif 000008
【図６】
2019207062.tif 000009
【図７】
2019207062.tif 000010
【図８】
2019207062.tif 000011
【図９】
2019207062.tif 000012